【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】
予定時刻に従って配信される番組コンテンツに対する操作を支援する情報処理装置であって、
番組コンテンツに関する情報を管理する番組情報管理手段と、
操作上の基点番組を設定する基点番組設定手段と、
すべての番組状態の番組情報を検索して基点番組と関連する番組を抽出し、該抽出された関連番組からなる基点番組関連情報ページを生成する基点番組関連情報生成手段と、
前記基点番組関連情報ページ上で関連番組が選択されたことに応答して、該関連番組について番組状態に応じて適用可能な操作方法を含んだ詳細操作画面を提示する詳細操作画面提示手段と、
を具備することを特徴とする情報処理装置。
【請求項２】
前記基点番組設定手段は、ユーザが再生中又は視聴中の番組コンテンツ、あるいは所定の番組表から選択した番組コンテンツを基点番組に設定する、
ことを特徴とする請求項１に記載の情報処理装置。
【請求項３】
前記基点番組関連情報生成手段は、前記設定された起点番組の番組ＩＤから関連する番組を抽出して基点番組関連情報ページを生成する、
ことを特徴とする請求項１に記載の情報処理装置。
【請求項４】
前記基点番組関連情報生成手段は、少なくとも前記基点番組が設定されたときの放送日と放送時点の時刻、放送局名などから関連する番組を抽出して起点番組関連情報ページを生成する、
ことを特徴とする請求項１に記載の情報処理装置。
【請求項５】
前記番組情報管理手段は、番組との関連度が割り当てられている複数の項目からなる番組情報を管理し、
前記基点番組関連情報生成手段は、基点番組との関連度に基づいて項目毎に基点番組と関連する番組を検索し、該検索結果を配置して基点番組関連情報ページを生成する、
ことを特徴とする請求項１に記載の情報処理装置。
【請求項６】
前記基点番組関連情報生成手段は、該検索結果を基点番組との関連度の強い項目の順に関連番組を配置して基点番組関連情報ページを生成する、
ことを特徴とする請求項５に記載の情報処理装置。
【請求項７】
番組コンテンツを受信する受信手段と、受信した番組コンテンツを録画／録画予約する録画手段をさらに備え、
前記番組状態は、番組コンテンツの録画済、未録画、録画予約済み、未録画予約、受信前のうち少なくとも１つを含む、
ことを特徴とする請求項１に記載の情報処理装置。
【請求項８】
前記基点番組関連情報生成手段は、基点番組関連情報ページ上で各関連情報についての番組状態を表示する、
ことを特徴とする請求項７に記載の情報処理装置。
【請求項９】
前記基点番組関連情報生成手段は、基点番組関連情報ページ上で各関連情報についての番組状態を表すアイコンを表示する、
ことを特徴とする請求項７に記載の情報処理装置。
【請求項１０】
前記基点番組関連情報ページの表示履歴を保存する、
ことを特徴とする請求項７に記載の情報処理装置。
【請求項１１】
前記詳細操作画面提示手段は、選択された関連番組の番組状態が録画済である場合には、操作方法として再生及び／又は録画消去を提示する、
ことを特徴とする請求項７に記載の情報処理装置。
【請求項１２】
前記詳細操作画面提示手段は、選択された関連番組の番組状態が録画予約済みである場合には、操作方法として録画取消し及び／又は予約確認を提示する、
ことを特徴とする請求項７に記載の情報処理装置。
【請求項１３】
前記詳細操作画面提示手段は、選択された関連番組の番組状態が未録画予約である場合には、操作方法として録画予約を提示する、
ことを特徴とする請求項７に記載の情報処理装置。
【請求項１４】
前記詳細操作画面提示手段は、複数の録画予約方法を提示する、
ことを特徴とする請求項１３に記載の情報処理装置。
【請求項１５】
予定時刻に従って配信される番組コンテンツに対する操作を支援する情報処理方法であって、各番組コンテンツに関する情報がデータベース管理されており、
操作上の基点番組を設定する基点番組設定ステップと、
すべての番組状態の番組情報をデータベース検索して基点番組と関連する番組を抽出し、該抽出された関連番組からなる基点番組関連情報ページを生成する基点番組関連情報生成ステップと、
前記基点番組関連情報ページ上で関連番組が選択されたことに応答して、該関連番組について番組状態に応じて適用可能な操作方法を含んだ詳細操作画面を提示する詳細操作画面提示ステップと、
を具備することを特徴とする情報処理方法。
【請求項１６】
前記基点番組設定ステップでは、ユーザが再生中又は視聴中の番組コンテンツ、あるいは所定の番組表から選択した番組コンテンツを基点番組に設定する、
ことを特徴とする請求項１５に記載の情報処理方法。
【請求項１７】
前記基点番組関連情報生成ステップでは、前記設定された起点番組の番組ＩＤから関連する番組を抽出して基点番組関連情報ページを生成する、
ことを特徴とする請求項１５に記載の情報処理方法。
【請求項１８】
前記基点番組関連情報生成ステップでは、少なくとも前記基点番組が設定されたときの放送日と放送時点の時刻、放送局名などから関連する番組を抽出して起点番組関連情報ページを生成する、
ことを特徴とする請求項１５に記載の情報処理方法。
【請求項１９】
前記番組情報管理データベースでは、番組との関連度が割り当てられている複数の項目からなる番組情報が管理され、
前記基点番組関連情報生成ステップでは、基点番組との関連度に基づいて項目毎に基点番組と関連する番組をデータベース検索し、該検索結果を配置して基点番組関連情報ページを生成する、
ことを特徴とする請求項１５に記載の情報処理方法。
【請求項２０】
前記基点番組関連情報生成ステップでは、該検索結果を基点番組との関連度の強い項目の順に関連番組を配置して基点番組関連情報ページを生成する、
ことを特徴とする請求項１９に記載の情報処理方法。
【請求項２１】
前記番組状態は、番組コンテンツの録画済、未録画、録画予約済み、未録画予約、受信前のうち少なくとも１つを含む、
ことを特徴とする請求項１５に記載の情報処理方法。
【請求項２２】
前記基点番組関連情報生成ステップでは、基点番組関連情報ページ上で各関連情報についての番組状態を表示する、
ことを特徴とする請求項２１に記載の情報処理方法。
【請求項２３】
前記基点番組関連情報生成ステップでは、基点番組関連情報ページ上で各関連情報についての番組状態を表すアイコンを表示する、
ことを特徴とする請求項２１に記載の情報処理方法。
【請求項２４】
前記基点番組関連情報ページの表示履歴を保存する、
ことを特徴とする請求項２１に記載の情報処理方法。
【請求項２５】
前記詳細操作画面提示ステップでは、選択された関連番組の番組状態が録画済である場合には、操作方法として再生及び／又は録画消去を提示する、
ことを特徴とする請求項２１に記載の情報処理方法。
【請求項２６】
前記詳細操作画面提示ステップでは、選択された関連番組の番組状態が録画予約済である場合には、操作方法として録画取消し及び／又は予約確認を提示する、
ことを特徴とする請求項２１に記載の情報処理方法。
【請求項２７】
前記詳細操作画面提示ステップでは、選択された関連番組の番組状態が未録画予約である場合には、操作方法として録画予約を提示する、
ことを特徴とする請求項２１に記載の情報処理方法。
【請求項２８】
前記詳細操作画面提示ステップでは、複数の録画予約方法を提示する、
ことを特徴とする請求項２１に記載の情報処理方法。
【請求項２９】
予定時刻に従って配信される番組コンテンツに対する操作を支援するための処理をコンピュータ・システム上で実行するようにコンピュータ可読形式で記述されたコンピュータ・プログラムであって、各番組コンテンツに関する情報がデータベース管理されており、前記コンピュータ・システムに対し、
操作上の基点番組を設定する基点番組設定手順と、
すべての番組状態の番組情報をデータベース検索して基点番組と関連する番組を抽出し、該抽出された関連番組からなる基点番組関連情報ページを生成する基点番組関連情報生成手順と、
前記基点番組関連情報ページ上で関連番組が選択されたことに応答して、該関連番組について番組状態に応じて適用可能な操作方法を含んだ詳細操作画面を提示する詳細操作画面提示手順と、
を実行させることを特徴とするコンピュータ・プログラム。
【手続補正２】
【補正対象書類名】明細書
【補正対象項目名】００２２
【補正方法】変更
【補正の内容】
【００２２】
また、本発明の第２の側面は、予定時刻に従って配信される番組コンテンツに対する操作を支援するための処理をコンピュータ・システム上で実行するようにコンピュータ可読形式で記述されたコンピュータ・プログラムであって、各番組コンテンツに関する情報がデータベース管理されており、前記コンピュータ・システムに対し、
操作上の基点番組を設定する基点番組設定手順と、
すべての番組状態の番組情報をデータベース検索して基点番組と関連する番組を抽出し、該抽出された関連番組からなる基点番組関連情報ページを生成する基点番組関連情報生成手順と、
前記基点番組関連情報ページ上で関連番組が選択されたことに応答して、該関連番組について番組状態に応じて適用可能な操作方法を含んだ詳細操作画面を提示する詳細操作画面提示手順と、
を実行させることを特徴とするコンピュータ・プログラムである。